(57)【要約】【課題】冷蔵・冷凍倉庫等の建物躯体に対して構築される外断熱構造において、防湿層の防湿性能を確保しながら、防湿層を構成する防湿板が熱膨張した場合であっても、隣接する防湿板同士の干渉を防止して当該干渉による変形や剥離を回避することができる技術を提供する。【解決手段】建物躯体の外側に設けられた断熱層Ａと、当該断熱層Ａの外側に設けられた防湿層Ｂとを備えた外断熱構造であって、防湿層Ｂが、隣接間に隙間１５を設けて複数並設された金属製板状の防湿板１１と、隙間１５の幅の変化に追従して当該隙間１５を塞ぐ隙間防湿部３２とで構成されている。【選択図】図５
2018105041.tif 000002
【特許請求の範囲】
【請求項１】
建物躯体の外側に設けられた断熱層と、当該断熱層の外側に設けられた防湿層とを備えた外断熱構造であって、
前記防湿層が、隣接間に隙間を設けて複数並設された金属製板状の防湿板と、前記隙間の幅の変化に追従して当該隙間を塞ぐ隙間防湿部とで構成されている外断熱構造。
【請求項２】
前記断熱層と前記防湿層とが、前記断熱層を構成する断熱ボードと前記防湿板とを一体化してなる断熱防湿パネルを前記建物躯体の外側に複数並設して構成され、
前記断熱防湿パネルが、前記断熱ボードの外周部に、隣接する断熱ボードに密着する密着露出面を有すると共に、前記防湿板の外周部を面内方向に沿って前記密着露出面よりも内側に引退させて構成されている請求項１に記載の外断熱構造。
【請求項３】
前記防湿板が、外周部に折曲部を有し、
前記断熱ボードが、外周部の前記防湿板側の縁部に、前記防湿板の折曲部が前記密着露出面よりも内側に引退して隙間を形成する状態で嵌合可能な嵌合段部を有し、
前記断熱防湿パネルが、前記断熱ボードの嵌合段部に前記防湿板の折曲部を嵌合させて構成されている請求項２に記載の外断熱構造。
【請求項４】
前記防湿層の外側に第２断熱層を設けた請求項１〜３の何れか１項に記載の外断熱構造。
【請求項５】
建物躯体の外側に断熱層を敷設し、当該断熱層の外側に防湿層を敷設する外断熱構造の施工方法であって、
外周部に密着露出面を有する断熱ボードと、外周部を面内方向に沿って前記密着露出面よりも内側に引退させた防湿板とを、予め一体化してなる断熱防湿パネルを用い、
当該断熱防湿パネルの複数を、隣接間において前記断熱ボードの密着露出面を密着させながら建物躯体の外表面に並設すると共に、当該並設された断熱防湿パネルにおける前記防湿板の隣接間に形成される隙間を可撓性の隙間防湿部で塞ぐことで、前記断熱ボードで前記断熱層を構成すると共に、前記防湿板及び前記隙間防湿部で前記防湿層を構成する外断熱構造の施工方法。
【発明の詳細な説明】
【技術分野】
【０００１】
本発明は、建物躯体の外側に設けられた断熱層と、当該断熱層の外側に設けられた防湿層とを備えた外断熱構造及びその施工方法に関する。
【背景技術】
【０００２】
冷蔵・冷凍倉庫などの建物躯体の断熱構造として、建物躯体の外側に断熱層を敷設する外断熱構造が知られている。かかる外断熱構造では、水分を含む空気が断熱層側に浸入すると、内部結露等により断熱性が低下することが懸念される。そこで、断熱層の外側には防湿層が設けられており、この防湿層により断熱層側への水分を含む空気の浸入が防止されている（例えば特許文献１及び２を参照。）。
そして、従来の建物躯体の外断熱構造において、防湿層は、金属製板状の防湿板を、隣接間で互いに密着する状態で複数並設して構成されている。
【０００３】
特に、特許文献２に記載の外断熱構造は、断熱層として機能する断熱ボード（５Ａ）と防湿層として機能する金属製板状の防湿板（５ａ）とを一体化してなる断熱防湿パネル（Ｐ）を、建物躯体（３）の外側に複数並設して構成されている。更に、この外断熱構造で利用される断熱防湿パネル（Ｐ）は、両端縁部がホゾ組形状に形成された断熱ボード（５Ａ）の外表面に防湿板（５ａ）を積層し、その防湿板（５ａ）の端部を断熱ボード（５Ａ）の厚肉内に折り返し埋設させる形態で構成されている。そして、このように構成された断熱防湿パネル（Ｐ）を建物躯体（３）の外側に複数並設するにあたり、断熱ボード（５Ａ）のホゾ溝（７）に対して隣接する断熱ボード（５Ａ）のホゾ（８）が嵌合されることで、双方の断熱ボード（５Ａ）の端部で折り返された防湿板（５ａ）同士が互いに密着することになる。
【先行技術文献】
【特許文献】
【０００４】
【特許文献１】特開昭６３−０４１７８４号公報
【特許文献２】特開２００８−１６３６７１号公報
【発明の概要】
【発明が解決しようとする課題】
【０００５】
建物躯体の外断熱構造において、断熱層の外側に設けられる防湿板は、外気温の上昇や日射等により、昇温し熱膨張しやすい状態となる。よって、上述した特許文献１及び２に記載の従来の外断熱構造のように、金属製板状の防湿板が隣接間で互いに密着する状態で複数併設されている場合には、熱膨張や他の要因により、隣接する防湿板同士が互いに押し付けあって干渉し、結果、防湿板の変形や断熱層からの剥離が発生し、防湿層の防湿性能が損なわれるという問題が生じる。
【０００６】
この実情に鑑み、本発明の主たる課題は、冷蔵・冷凍倉庫等の建物躯体に対して構築される外断熱構造において、隣接する防湿板同士の熱膨張等による干渉を回避して、当該干渉による防湿板の変形や剥離を防止し、防湿層の防湿性能を維持することができる技術を提供する点にある。
【課題を解決するための手段】
【０００７】
本発明の第１特徴構成は、建物躯体の外側に設けられた断熱層と、当該断熱層の外側に設けられた防湿層とを備えた外断熱構造であって、
前記防湿層が、隣接間に隙間を設けて複数並設された金属製板状の防湿板と、前記隙間の幅の変化に追従して当該隙間を塞ぐ隙間防湿部とで構成されている点にある。
【０００８】
本構成によれば、断熱層の外側に設けられた防湿層において、複数並設された金属製板状の防湿板の隣接間に隙間が設けられているので、当該防湿板が外気温の上昇や日射等により熱膨張した場合や他の要因で面内方向に変位した場合であっても、隣接する防湿板同士の干渉を上記隙間にて回避することができる。更に、このような防湿板の熱膨張や変位等に起因して、防湿板の隣接間に形成された隙間の幅が変化する場合であっても、隙間の幅の変化に追従して当該隙間を塞ぐ隙間防湿部により、断熱層側への水分を含む空気の浸入を防止することができる。
従って、本発明により、隣接する防湿板同士の熱膨張等による干渉を回避して、当該干渉による防湿板の変形や剥離を防止し、防湿層の防湿性能を維持することができる外断熱構造を提供することができる。
【０００９】
本発明の第２特徴構成は、前記断熱層と前記防湿層とが、前記断熱層を構成する断熱ボードと前記防湿板とを一体化してなる断熱防湿パネルを前記建物躯体の外側に複数並設して構成され、
前記断熱防湿パネルが、前記断熱ボードの外周部に、隣接する断熱ボードに密着する密着露出面を有すると共に、前記防湿板の外周部を面内方向に沿って前記密着露出面よりも内側に引退させて構成されている点にある。
【００１０】
本構成によれば、断熱ボードと防湿板とを一体化してなる断熱防湿パネルにおいて、防湿板の外周部が断熱ボードの外周部に形成された密着露出面よりも内側に引退しているので、その断熱防湿パネルを隣接間で断熱ボードの密着露出面を密着させながら建物躯体の外側に複数並設するという簡単な作業によって、防湿板の隣接間に隙間を確実に形成しながら断熱ボードの隣接間での放熱を抑制して優れた断熱性能を確保する状態で、外断熱構造の断熱層と防湿層とを構築することができる。
【００１１】
本発明の第３特徴構成は、前記防湿板が、外周部に折曲部を有し、
前記断熱ボードが、外周部の前記防湿板側の縁部に、前記防湿板の折曲部が前記密着露出面よりも内側に引退して隙間を形成する状態で嵌合可能な嵌合段部を有し、
前記断熱防湿パネルが、前記断熱ボードの嵌合段部に前記防湿板の折曲部を嵌合させて構成されている点にある。
【００１２】
本構成によれば、断熱ボードの外周部の縁部に形成された嵌合段部に対して、防湿板の外周部に設けられた折曲部を嵌合させる形態で、防湿板の折曲部を断熱ボードの密着露出面よりも確実に内側に引退させながら、断熱ボードと防湿板とを安定且つ強固に一体化させて、平面度が高い断熱防湿パネルを製作することができる。
よって、断熱ボードと防止板との経年劣化による接着力低下や温度変化による挙動に起因した防湿板の剥離や変形を防止することができ、更には、このような断熱防湿パネルを建物躯体の外側に複数並設することで、互いに隣接する防湿板の折曲部の間に安定して均一な隙間を形成しながら、当該並設された複数の断熱防湿パネルにより構築された断熱層及び防湿層の不陸を抑制することができる。
【００１３】
本発明の第４特徴構成は、前記防湿層の外側に第２断熱層を設けた点にある。
【００１４】
本構成によれば、防湿層の外側に第２断熱層が設けられているので、外気温の上昇や日射等による熱が第２断熱層側から防湿層側に伝達されることを抑制することができる。これにより、防湿層を構成する防湿板の熱膨張が抑制されるので、その熱膨張による防湿板同士の干渉を回避するための隙間の幅を極力小さくして、当該隙間への指や異物の挿入による隙間防湿部の損傷を回避することができる。
【００１５】
本発明の第５特徴構成は、建物躯体の外側に断熱層を敷設し、当該断熱層の外側に防湿層を敷設する外断熱構造の施工方法であって、
外周部に密着露出面を有する断熱ボードと、外周部を面内方向に沿って前記密着露出面よりも内側に引退させた防湿板とを、予め一体化してなる断熱防湿パネルを用い、
当該断熱防湿パネルの複数を、隣接間において前記断熱ボードの密着露出面を密着させながら建物躯体の外表面に並設すると共に、当該並設された断熱防湿パネルにおける前記防湿板の隣接間に形成される隙間を可撓性の隙間防湿部で塞ぐことで、前記断熱ボードで前記断熱層を構成すると共に、前記防湿板及び前記隙間防湿部で前記防湿層を構成する点にある。
【００１６】
本構成によれば、断熱ボードと防湿板とを一体化してなる断熱防湿パネルにおいて、防湿板の外周部が断熱ボードの外周部に形成された密着露出面よりも内側に引退しているので、その断熱防湿パネルを隣接間で断熱ボードの密着露出面を密着させながら建物躯体の外側に複数並設するという簡単な作業によって、複数並設された防湿板の隣接間に隙間を確実に形成しながら断熱ボードの隣接間での放熱を抑制して優れた断熱性能を確保する状態で、外断熱構造の断熱層と防湿層とを構築することができる。
そして、このように構築された外断熱構造において、複数並設された金属製板状の防湿板の隣接間に隙間が設けられることになるので、当該防湿板が外気温の上昇や日射等により熱膨張した場合や他の要因で面内方向に変位した場合であっても、隣接する防湿板同士の干渉を上記隙間にて回避することができる。更に、このような防湿板の熱膨張や変位等に起因して、防湿板の隣接間に形成された隙間の幅が変化する場合であっても、隙間の幅の変化に追従して当該隙間を塞ぐ隙間防湿部により、断熱層側への水分を含む空気の浸入を防止することができる。
従って、本発明により、隣接する防湿板同士の熱膨張等による干渉を回避して、当該干渉による防湿板の変形や剥離を防止し、防湿層の防湿性能を維持することができる外断熱構造の施工方法を提供することができる。
【図面の簡単な説明】
【００１７】
【図１】建物躯体の外断熱構造を説明する図
【図２】建物躯体の屋根部に構築される外断熱構造の構成を示す概略断面図
【図３】建物躯体の側壁部に構築される外断熱構造の構成を示す概略断面図
【図４】断熱防湿パネルの構成を示す分解斜視図
【図５】建物躯体の側壁部に構築される外断熱構造の部分拡大断面図
【発明を実施するための形態】
【００１８】
本発明に係る外断熱構造及びその施工方法の実施形態について図面に基づいて説明する。
図１に示すように、本実施形態の外断熱構造２は、冷蔵・冷凍倉庫などに利用される建物１００において、鉄筋コンクリート造の建物躯体１の屋外側を断熱するものとして構築されている。外断熱構造２としては、屋外から建物躯体１の側壁部１Ｗへの伝熱を抑制するために当該側壁部１Ｗの屋外側（図４及び図５では側壁部１Ｗの右側が屋外側となる。）に構築された側壁部外断熱構造２Ｗと、屋外から建物躯体１の屋根部１Ｌへの伝熱を抑制するために当該屋根部１Ｌの屋外側（図２では屋根部１Ｌの上方側が屋外側となる。）に構築された屋根部外断熱構造２Ｌが設けられている。
【００１９】
更に、地盤に接触する建物躯体１の１階床スラブ１Ｆの内側には、地盤から当該１階床スラブ１Ｆを介して建物１００の内部への伝熱を抑制するために床断熱構造２Ｆが構築されている。そして、これら断熱構造２Ｗ，２Ｌ，２Ｆにより、建物１００の内部が屋外及び地盤に対して断熱されることになる。
【００２０】
〔外断熱構造２〕
以下、側壁部外断熱構造２Ｗや屋根部外断熱構造２Ｌとして構成される外断熱構造２の共通の構成について説明を加える。
外断熱構造２は、図２及び図３に示すように、建物躯体１の外側に敷設された断熱層Ａと、当該断熱層Ａの外側に敷設された防湿層Ｂとを備える。
断熱層Ａは、断熱ボード１２，１３を建物躯体１の外表面において複数並設して構成されている。尚、断熱ボード１２，１３を構成する断熱材は、断熱性を有するものであれば適宜利用することができるが、例えば、ポリウレタン発泡体、ポリスチレン発泡体、ガラスウール等の高断熱性材料を利用することができる。
また、本実施形態において、断熱層Ａは、建物躯体１側から順に２層の断熱ボード１３と１層の断熱ボード１２とからなる３層構造を有する。尚、詳細については後述するが、最も外側に敷設される断熱ボード１２は、その外表面に設けられる防湿板１１と一体化された断熱防湿パネル１０として設けられている。
また、これら断熱ボード１３及び断熱防湿パネル１０は、建物躯体１の外側において複数並設して積層するにあたり、同一箇所に継ぎ目が重ならないように千鳥状に配置されている。
【００２１】
一方、防湿層Ｂは、非通気性を有しており、かかる防湿層Ｂを断熱層Ａの外側に設けることで、断熱層Ａ側への水分を含む空気の浸入が回避されて、断熱層Ａ側での内部結露による断熱性の低下が防止されている。
尚、建物躯体１への断熱層Ａ並びに防湿層Ｂの固定は、断熱性を有する公知の断熱アンカー３０を貫通させ建物躯体１に打ち込むことで行われている。また、防湿層Ｂの外表面に露出される断熱アンカー３０の頭部には、それを覆う形態でアルミニウム製のテープ材３３が貼着されており、これにより、断熱アンカー３０の貫通部を介した水分を含む空気の浸入が防止されている。即ち、このテープ材３３についても防湿層Ｂとして機能することになる。
【００２２】
防湿層Ｂは、図２，図３，及び図５に示すように、隣接間に隙間１５を設けて複数並設されたアルミニウム製鋼板、ステンレス製鋼板、アルミ亜鉛合金メッキ鋼板などの金属製板状の防湿板１１と、この隙間１５の幅の変化に追従して当該隙間１５を塞ぐ隙間防湿部３２とで構成されている。ここで、防湿板１１が金属板で構成されているので、アルミ箔等を利用する場合と比べて傷が付き難く高強度となり、例えば屋根部外断熱構造２Ｌの防湿板１１として利用した場合でも、歩行に耐え得る強度を発揮させることができる。
【００２３】
即ち、断熱層Ａの外側に設けられた防湿層Ｂにおいて、複数並設された金属製板状の防湿板１１の隣接間に隙間１５が設けられているので、当該防湿板１１が外気温の上昇や日射等により熱膨張した場合や他の要因で面内方向に変位した場合であっても、隣接する防湿板１１同士の干渉が上記隙間１５にて回避されて、当該干渉による防湿板１１の変形や剥離が防止されることになる。
更に、このような防湿板１１の熱膨張や変位等に起因して、防湿板１１の隣接間に形成された隙間１５の幅が変化する場合であっても、隙間１５の幅の変化に追従して当該隙間１５を塞ぐ隙間防湿部３２により、断熱層Ａ側への水分を含む空気の浸入が防止されて、防湿層Ｂの防湿性能が維持されることになる。
【００２４】
隙間防湿部３２は、隙間１５を埋める弾性材料からなるシール部３２ａと、そのシール部３２ａの外表面側を覆う形態で貼着されたアルミニウム製等のテープ材３２ｂとで構成されている。
尚、シール部３２ａは、シリコン系シーリング材、アクリル系シーリング材、ポリウレタン系シーリング材などのような硬化後に弾性体となるシーリング材を隙間１５に充填することで形成される。
【００２５】
〔断熱防湿パネル１０〕
図２及び図３に示すように、断熱層Ａにおいて最も外側に敷設される断熱ボード１２と、その外表面に設けられる防湿層Ｂを構成する防湿板１１とは、後述する断熱防湿パネル１０を建物躯体１の外側に積層された２層の断熱ボード１３の外表面に複数並設することで構築されている。
以下、この断熱防湿パネル１０の詳細について説明を加える。
【００２６】
図４に示すように、断熱防湿パネル１０は、略直方体の形状を有しており、断熱層Ａを構成する略直方体の断熱ボード１２と、その断熱ボード１２の外表面側を覆う略長方形の防湿板１１とを、予め一体化して構成されている。更に、この断熱防湿パネル１０において、断熱ボード１２は、その外周部の側面に、隣接する断熱ボードに密着する密着露出面１２ｂを有すると共に、防湿板１１は、その外周部を面内方向に沿って密着露出面１２ｂよりも内側に引退させて構成されている。
また、防湿板１１には、断熱アンカー３０が挿通する挿通孔１１ｂが面内方向に分散形成されている。
【００２７】
そして、外断熱構造２の施工方法では、図２及び図３に示すように、断熱防湿パネル１０の複数を隣接間において断熱ボード１２の密着露出面１２ｂを密着させながら建物躯体１の外表面に複数並設する。すると、防湿板１１の外周部が断熱ボード１２の外周部に形成された密着露出面１２ｂよりも内側に引退していることから、防湿板１１の隣接間に隙間１５が形成される。次に、このように形成された隙間１５を可撓性の隙間防湿部３２により塞ぐことにより、断熱防湿パネル１０の断熱ボード１２で断熱層Ａが構成されると共に、防湿板１１及び隙間防湿部３２で防湿層Ｂが構成されることになる。
【００２８】
更に、図４に示すように、断熱防湿パネル１０において、防湿板１１は、外周部の四方を一方側に直角に折り曲げてなる折曲部１１ａを有する略箱状に形成されている。一方、断熱ボード１２は、外周部の防湿板１１側の縁部に、防湿板１１の折曲部１１ａが密着露出面１２ｂよりも内側に引退して隙間１５（図５を参照）を形成する状態で嵌合可能な嵌合段部１２ａを有するように形成されている。
そして、断熱防湿パネル１０は、適宜接着剤を間に介在させた状態で、断熱ボード１２の嵌合段部１２ａに防湿板１１の折曲部１１ａを嵌合させて構成されている。
【００２９】
このように断熱ボード１２の嵌合段部１２ａに防湿板１１の折曲部１１ａを嵌合させると、図５に示すように、防湿板１１の折曲部１１ａは、断熱ボード１２の密着露出面１２ｂよりも内側に引退された状態となる。このことで、複数の断熱防湿パネル１０を隣接間で断熱ボード１２の密着露出面１２ｂを密着させながら断熱ボード１３の外側に並設すれば、互いに隣接する防湿板１１の折曲部１１ａの間には、均一な隙間１５が確実に形成されることになり、更には断熱ボード１２の隣接間での放熱が抑制されて、優れた断熱性能が確保される状態になる。
以上が、側壁部外断熱構造２Ｗや屋根部外断熱構造２Ｌとして構成される外断熱構造２の共通の構成及びその外断熱構造２で利用される断熱防湿パネル１０の構成についての説明であるが、以下に、側壁部外断熱構造２Ｗ及び屋根部外断熱構造２Ｌの個別の構成について順に説明を加える。
【００３０】
〔側壁部外断熱構造２Ｗ〕
図３及び図５に示すように、側壁部外断熱構造２Ｗの更に屋外側には、外壁材２０が敷設されている。更に、外壁材２０は、側壁部外断熱構造２Ｗの防湿層Ｂに対して外方に離間した位置に設けられており、外壁材２０と防湿層Ｂとの間には空気層２３が形成されている。このことで、外壁材２０が外気温の上昇や日射等により高温になる場合であっても、外壁材２０と防湿層Ｂとの間に形成された空気層２３により、その熱が側壁部外断熱構造２Ｗ側に伝達されることが抑制される。
【００３１】
そして、このように外壁材２０から側壁部外断熱構造２Ｗ側への熱伝達が抑制されていることで、建物１００の断熱性能の向上が図られると共に、防湿層Ｂを構成する防湿板１１の熱膨張が抑制されることになる。このことで、防湿板１１の熱膨張による防湿板１１同士の干渉を回避するための隙間１５の幅を例えば５ｍｍ程度と極力小さく設定することができる。そして、隙間１５の幅が小さいことで、施工時において、当該隙間１５への指や異物の挿入によるシール部３２ａやテープ材３２ｂからなる隙間防湿部３２の損傷が回避されることになる。
【００３２】
尚、外壁材２０は、建物躯体１の側壁部１Ｗの外側に固定された鉄骨材２１により支持されている。また、この側壁部１Ｗの外表面側における鉄骨材２１の周囲部には、発泡ウレタンなどの断熱材２２が充填されており、これにより、この部位での断熱性が確保されている。
【００３３】
〔屋根部外断熱構造２Ｌ〕
図２に示すように、屋根部外断熱構造２Ｌの防湿層Ｂの屋外側（上方側）には、上述した断熱ボード１２，１３と同様の断熱ボード２５を複数並設して構成された第２断熱層Ｃが設けられている。このように、防湿層Ｂの外側に第２断熱層Ｃが設けられているので、外気温の上昇や日射等による熱が防湿層Ｂ側に伝達されることが抑制され、屋根部外断熱構造２Ｌの断熱性が向上されるのに加えて、防湿層Ｂを構成する防湿板１１の熱膨張が一層抑制されることになる。このことで、防湿板１１の熱膨張による防湿板１１同士の干渉を回避するための隙間１５の幅を例えば５ｍｍ程度と極力小さく設定することができる。そして、隙間１５の幅が小さいことで、施工時において、当該隙間１５への指や異物の挿入によるシール部３２ａやテープ材３２ｂからなる隙間防湿部３２の損傷が回避されることになる。
【００３４】
更に、第２断熱層Ｃの外表面には、屋上面の必要強度を確保しながら屋根部外断熱構造２Ｌ側への浸水を防止するために、アスファルト防水層などの保護層２６が構築されている。尚、屋根部外断熱構造２Ｌにおいては、建物躯体１の屋根部１Ｌと断熱層Ａとの間にも適宜防水下地が施されており、当該屋根部１Ｌ側への浸水が確実に防止されている。更に、保護層２６の外表面の仕上げとして高反射塗装を施すことで、日射による防湿板１１の熱膨張を一層抑制することができる。
【００３５】
〔別実施形態〕
（１）上記実施形態では、防湿板１１の隣接間に形成された隙間１５の幅の変化に追従して当該隙間１５を塞ぐ隙間防湿部３２を、隙間１５を埋めるシール部３２ａと、その外表面側を覆うテープ材３２ｂとで構成したが、隙間防湿部３２の機能を確保する範囲内において、シール部３２ａ及びテープ材３２ｂの何れか一方を省略したり、別の構成の隙間防湿部を採用しても構わない。
【００３６】
（２）上記実施形態では、屋根部外断熱構造２Ｌにおいてのみ防湿層Ｂの外側に第２断熱層Ｃを設けたが、第２断熱層Ｃは適宜省略しても構わない。また、側壁部外断熱構造２Ｗにおいても、防湿層Ｂの外側に第２断熱層を設けても構わない。
【００３７】
（３）上記実施形態では、断熱ボード１２と防湿板１１とを一体化してなる断熱防湿パネル１０を建物躯体１の外側に複数並設して、外断熱構造２を構築したが、これら断熱ボードと防湿板とを別々に建物躯体１の外側に敷設して、外断熱構造２を構築しても構わない。この場合、断熱ボードについては、隣接間において断熱ボードの側面を密着させながら建物躯体の外表面に複数並設し、防湿板については、隣接間において隙間を設けて複数並設することになり、この隙間に対して隙間防湿部が設けられることになる。
【符号の説明】
【００３８】
１      建物躯体
２      外断熱構造
２Ｌ    屋根部外断熱構造（外断熱構造）
２Ｗ    側壁部外断熱構造（外断熱構造）
１０    断熱防湿パネル
１１    防湿板
１１    湿板
１１ａ  折曲部
１２    断熱ボード
１２ａ  嵌合段部
１２ｂ  密着露出面
１３    断熱ボード
１５    隙間
２５    第２断熱層
３２    隙間防湿部
３２ａ  シール部（隙間防湿部）
３２ｂ  テープ材（隙間防湿部）
１００  建物
Ａ      断熱層
Ｂ      防湿層
【図１】
2018105041.tif 000003
【図２】
2018105041.tif 000004
【図３】
2018105041.tif 000005
【図４】
2018105041.tif 000006
【図５】
2018105041.tif 000007